(57)【特許請求の範囲】
【請求項１】
導光板と、前記導光板の端面に臨むように配置され前記端面に向かって光を射出する光源と、前記光源を保持する光源保持部材とを備えるとともに、前記導光板の厚さ方向の一方を第１方向とし、前記第１方向の反対方向を第２方向とすると、前記導光板の前記第１方向側の面である光射出面の側に配置され前記導光板が発する光を拡散する拡散板と、前記導光板の前記第２方向側に配置されるフレームと、前記第１方向側が開口する扁平な箱状に形成され前記導光板、前記光源、前記光源保持部材および前記フレームが収容されるケースと、前記導光板、前記光源保持部材および前記フレームを前記拡散板に固定するための第１のネジとを備え、
前記拡散板は、前記光射出面の周縁部に対向する位置に配置され前記導光板に向かって突出する突出部を備え、
前記導光板には、前記第１のネジの軸部が遊挿される第１の貫通孔が形成され、
前記光源保持部材には、前記第１のネジの軸部が遊挿される第２の貫通孔が形成され、
前記フレームには、前記第１のネジの軸部が遊挿される第３の貫通孔が形成され、
前記突出部には、前記第１のネジの軸部に形成されるオネジが係合するネジ孔が形成されていることを特徴とする照明装置。
【請求項２】
前記フレームを前記ケースに固定するための第２のネジを備えることを特徴とする請求項１記載の照明装置。
【請求項３】
前記ケースには、前記第２のネジの軸部が遊挿される第４の貫通孔が形成され、
前記フレームには、前記第２のネジの軸部に形成されるオネジが係合する第２のネジ孔が形成されていることを特徴とする請求項２記載の照明装置。
【請求項４】
前記光源保持部材を前記フレームに固定するための第３のネジを備え、
前記光源保持部材は、前記端面に対向するように配置される基部と、前記基部の前記第１方向端から前記導光板側へ延びる第１延設部と、前記基部の前記第２方向端から前記導光板側へ延びる第２延設部とを備え、
前記導光板と前記フレームとは、前記第１延設部と前記第２延設部とに挟まれるように前記第１延設部と前記第２延設部との間に配置されていることを特徴とする請求項１から３のいずれかに記載の照明装置。
【請求項５】
前記第２延設部には、前記第３のネジの軸部が遊挿される第５の貫通孔が形成され、
前記フレームには、前記第３のネジの軸部に形成されるオネジが係合する第３のネジ孔が形成されていることを特徴とする請求項４記載の照明装置。
【請求項６】
前記第１のネジの頭部および前記第３のネジの頭部は、前記ケースに収容されていることを特徴とする請求項４または５記載の照明装置。
【請求項７】
前記ケースには、前記第１のネジの頭部が遊挿される第６の貫通孔が形成されていることを特徴とする請求項１から６のいずれかに記載の照明装置。
【請求項８】
前記フレームおよび前記光源保持部材を前記ケースに固定するための第４のネジを備え、
前記光源保持部材は、前記端面に対向するように配置される基部と、前記基部の前記第１方向端から前記導光板側へ延びる第１延設部と、前記基部の前記第２方向端から前記導光板側へ延びる第２延設部とを備え、
前記導光板と前記フレームとは、前記第１延設部と前記第２延設部とに挟まれるように前記第１延設部と前記第２延設部との間に配置されていることを特徴とする請求項１記載の照明装置。
【請求項９】
前記ケースには、前記第４のネジの軸部が遊挿される第７の貫通孔が形成され、
前記第２延設部には、前記第４のネジの軸部が遊挿される第８の貫通孔が形成され、
前記フレームには、前記第４のネジの軸部に形成されるオネジが係合する第４のネジ孔が形成されていることを特徴とする請求項８記載の照明装置。
【請求項１０】
前記第１のネジは、前記第１のネジの軸部の先端側の外径が前記第１のネジの軸部の基端側の外径よりも小さくなった段付きネジであることを特徴とする請求項１から９のいずれかに記載の照明装置。
【発明の詳細な説明】
【技術分野】
【０００１】
本発明は、厚さの薄い平板状の照明装置に関する。
【背景技術】
【０００２】
光射出面の明るさが周縁部も含めて全体的に均一になるように設計された平板状の照明装置が本出願人によって提案されている（たとえば、特許文献１参照）。特許文献１に記載の照明装置は、導光板と、導光板の端面に向かって光を射出する複数のＬＥＤ光源と、導光板の厚さ方向における導光板の一方側に配置され導光板が発する光を拡散させる拡散板と、導光板の厚さ方向における導光板の他方側に配置される反射板とを備えている。導光板は、アクリル系樹脂によって形成されており、導光板には、光散乱粒子が多数含有されている。拡散板は、アクリル系樹脂またはポリカーボネイトによって形成されており、拡散板には、光散乱粒子が多数含有されている。
【０００３】
また、特許文献１に記載の照明装置では、ＬＥＤ光源は、ＬＥＤ基板に実装されている。ＬＥＤ基板は、フレームに保持されている。フレームは、導光板の端面に対向するように配置される基部と、導光板の厚さ方向における基部の両端から導光板に向かって延びる２個の光遮蔽部とを備えており、金属板を所定形状に折り曲げることで形成されている。導光板と反射板とは、２個の光遮蔽部の間に挟まれた状態で２個の光遮蔽部の間に配置されている。
【先行技術文献】
【特許文献】
【０００４】
【特許文献１】特開２０１４−１５００４９号公報
【発明の概要】
【発明が解決しようとする課題】
【０００５】
特許文献１に記載の照明装置では、拡散板と導光板と反射板とフレームとを互いに固定する必要がある。また、特許文献１に記載の照明装置では、ＬＥＤ光源で発生する熱等に起因する照明装置の温度変動に伴って、拡散板、導光板、反射板およびフレームが伸縮する。照明装置の温度変動に起因する拡散板の伸縮量と導光板の伸縮量と反射板の伸縮量とフレームの伸縮量とが一致していれば、拡散板と導光板と反射板とフレームとが互いに固定されていても、温度変動によって、照明装置に反り等の変形が生じるおそれはない。しかしながら、特許文献１に記載の照明装置では、照明装置の温度変動に起因する拡散板の伸縮量と導光板の伸縮量と反射板の伸縮量とフレームの伸縮量とは必ずしも一致しない。そのため、この照明装置では、温度が変動すると、照明装置に反り等の変形が生じるおそれがある。
【０００６】
そこで、本発明の課題は、厚さの薄い平板状の照明装置において、照明装置の温度が変動しても、反り等の変形を抑制することが可能な照明装置を提供することにある。
【課題を解決するための手段】
【０００７】
上記の課題を解決するため、本発明の照明装置は、導光板と、導光板の端面に臨むように配置され端面に向かって光を射出する光源と、光源を保持する光源保持部材とを備えるとともに、導光板の厚さ方向の一方を第１方向とし、第１方向の反対方向を第２方向とすると、導光板の第１方向側の面である光射出面の側に配置され導光板が発する光を拡散する拡散板と、導光板の第２方向側に配置されるフレームと、第１方向側が開口する扁平な箱状に形成され導光板、光源、光源保持部材およびフレームが収容されるケースと、導光板、光源保持部材およびフレームを拡散板に固定するための第１のネジとを備え、拡散板は、光射出面の周縁部に対向する位置に配置され導光板に向かって突出する突出部を備え、導光板には、第１のネジの軸部が遊挿される第１の貫通孔が形成され、光源保持部材には、第１のネジの軸部が遊挿される第２の貫通孔が形成され、フレームには、第１のネジの軸部が遊挿される第３の貫通孔が形成され、突出部には、第１のネジの軸部に形成されるオネジが係合するネジ孔が形成されていることを特徴とする。
【０００８】
本発明の照明装置では、導光板に、第１のネジの軸部が遊挿される第１の貫通孔が形成され、光源保持部材に、第１のネジの軸部が遊挿される第２の貫通孔が形成され、フレームに、第１のネジの軸部が遊挿される第３の貫通孔が形成され、拡散板の突出部に、第１のネジの軸部に形成されるオネジが係合するネジ孔が形成されている。そのため、本発明では、拡散板と導光板と光源保持部材とフレームとが第１のネジによって互いに固定されていても、また、照明装置の温度変動に起因する拡散板の伸縮量と導光板の伸縮量と光源保持部材の伸縮量とフレームの伸縮量とが一致しなくても、照明装置の温度が変動したときに、第１のネジの軸部が遊挿される第１の貫通孔、第２の貫通孔および第３の貫通孔によって、拡散板の伸縮量と導光板の伸縮量と光源保持部材の伸縮量とフレームの伸縮量との差を吸収して、拡散板と導光板と光源保持部材とフレームとをそれぞれ自由に伸縮させることが可能になる。すなわち、本発明では、照明装置の温度が変動したときに、第１の貫通孔、第２の貫通孔および第３の貫通孔を利用して、拡散板と導光板と光源保持部材とフレームとのそれぞれを、他の部材の伸縮量の影響を受けることなく自由に伸縮させることが可能になる。したがって、本発明では、照明装置の温度が変動しても、照明装置の反り等の変形を抑制することが可能になる。
【０００９】
本発明において、照明装置は、フレームをケースに固定するための第２のネジを備えることが好ましい。このように構成すると、第１のネジによって互いに固定された拡散板、導光板、光源保持部材およびフレームを、第２のネジによってケースに固定することが可能になる。したがって、ばらばらになっている拡散板、導光板、光源保持部材およびフレームと、ケースとを、たとえば、第１のネジによって一緒に固定する場合と比較して、照明装置の組立作業が容易になる。
【００１０】
本発明において、ケースには、第２のネジの軸部が遊挿される第４の貫通孔が形成され、フレームには、第２のネジの軸部に形成されるオネジが係合する第２のネジ孔が形成されていることが好ましい。このように構成すると、照明装置の温度が変動したときに、第２のネジの軸部が遊挿される第４の貫通孔を利用して、フレームおよびケースを自由に伸縮させることが可能になる。したがって、照明装置の温度が変動しても、照明装置の反り等の変形を効果的に抑制することが可能になる。
【００１１】
本発明において、照明装置は、光源保持部材をフレームに固定するための第３のネジを備え、光源保持部材は、導光板の端面に対向するように配置される基部と、基部の第１方向端から導光板側へ延びる第１延設部と、基部の第２方向端から導光板側へ延びる第２延設部とを備え、導光板とフレームとは、第１延設部と第２延設部とに挟まれるように第１延設部と第２延設部との間に配置されていることが好ましい。このように構成すると、第１のネジが取り外されたときに導光板と光源保持部材とフレームとがばらばらになるのを、第１延設部および第２延設部と、第３のネジとによって防止することが可能になる。したがって、完成後の照明装置から第１のネジを取り外して拡散板を交換する際の交換作業が容易になる。また、このように構成すると、第１延設部と第２延設部との間に導光板およびフレームを挟んだ状態で、かつ、第３のネジによって光源保持部材をフレームに固定した状態で、第１の貫通孔、第２の貫通孔および第３の貫通孔に第１のネジの軸部を挿通することが可能になる。すなわち、導光板とフレームと光源保持部材とを仮固定した状態で第１の貫通孔、第２の貫通孔および第３の貫通孔に第１のネジの軸部を挿通することが可能になる。したがって、第１の貫通孔、第２の貫通孔および第３の貫通孔への第１のネジの軸部の挿通作業が容易になり、その結果、照明装置の組立作業が容易になる。
【００１２】
本発明において、第２延設部には、第３のネジの軸部が遊挿される第５の貫通孔が形成され、フレームには、第３のネジの軸部に形成されるオネジが係合する第３のネジ孔が形成されていることが好ましい。このように構成すると、照明装置の温度が変動したときに、第３のネジの軸部が遊挿される第５の貫通孔を利用して、フレームおよび光源保持部材を自由に伸縮させることが可能になる。したがって、照明装置の温度が変動しても、照明装置の反り等の変形を効果的に抑制することが可能になる。
【００１３】
本発明において、第１のネジの頭部および第３のネジの頭部は、たとえば、ケースに収容されている。この場合には、導光板、光源保持部材およびフレームが配置されているケースの内部に水等の液体が入り込むのを防止することが可能になる。
【００１４】
本発明において、ケースには、第１のネジの頭部が遊挿される第６の貫通孔が形成されていることが好ましい。このように構成すると、ケースが取り付けられた状態でも、第１のネジを取り外すことが可能になる。したがって、ケースが取り付けられた状態でも、第１のネジを取り外して拡散板を交換することが可能になり、その結果、拡散板の交換作業が容易になる。また、このように構成すると、照明装置の温度が変動したときに、第１のネジの頭部が遊挿される第６の貫通孔を利用して、拡散板と導光板と光源保持部材とフレームとケースとをそれぞれ自由に伸縮させることが可能になる。したがって、照明装置の温度が変動しても、照明装置の反り等の変形を効果的に抑制することが可能になる。
【００１５】
本発明において、照明装置は、フレームおよび光源保持部材をケースに固定するための第４のネジを備え、光源保持部材は、導光板の端面に対向するように配置される基部と、基部の第１方向端から導光板側へ延びる第１延設部と、基部の第２方向端から前記導光板側へ延びる第２延設部とを備え、導光板とフレームとは、第１延設部と第２延設部とに挟まれるように第１延設部と第２延設部との間に配置されていても良い。この場合には、第１のネジが取り外されたときに導光板と光源保持部材とフレームとがばらばらになるのを、第１延設部および第２延設部と、第４のネジとによって防止することが可能になる。したがって、完成後の照明装置から第１のネジを取り外して拡散板を交換する際の交換作業が容易になる。また、この場合には、第４のネジによって、フレームおよび光源保持部材をケースに固定することができるため、フレームをケースに固定するためのネジと、光源保持部材をフレームに固定するためのネジとが個別に設けられている場合と比較して、照明装置の構成を簡素化することが可能になる。
【００１６】
また、この場合には、ケースには、第４のネジの軸部が遊挿される第７の貫通孔が形成され、第２延設部には、第４のネジの軸部が遊挿される第８の貫通孔が形成され、フレームには、第４のネジの軸部に形成されるオネジが係合する第４のネジ孔が形成されていることが好ましい。このように構成すると、照明装置の温度が変動したときに、第４のネジの軸部が遊挿される第７の貫通孔および第８の貫通孔を利用して、光源保持部材とフレームとケースとのそれぞれを自由に伸縮させることが可能になる。したがって、照明装置の温度が変動しても、照明装置の反り等の変形を効果的に抑制することが可能になる。
【００１７】
本発明において、第１のネジは、第１のネジの軸部の先端側の外径が第１のネジの軸部の基端側の外径よりも小さくなった段付きネジであることが好ましい。このように構成すると、段付きネジである第１のネジの段差部を利用して、突出部に形成されるネジ孔への第１のネジのねじ込み量を規制することが可能になる。したがって、拡散板と導光板と光源保持部材とフレームとが必要以上の接触力で接触するのを防止することが可能になる。その結果、照明装置の温度が変動したときに、第１のネジの軸部が遊挿される第１の貫通孔、第２の貫通孔および第３の貫通孔を利用して、拡散板と導光板と光源保持部材とフレームとのそれぞれをより自由に伸縮させることが可能になる。そのため、照明装置の温度が変動しても、照明装置の反り等の変形を効果的に抑制することが可能になる。
【発明の効果】
【００１８】
以上のように、本発明では、厚さの薄い平板状の照明装置において、照明装置の温度が変動しても、照明装置の反り等の変形を抑制することが可能になる。
【図面の簡単な説明】
【００１９】
【図１】本発明の実施の形態にかかる照明装置を正面側から示す斜視図である。
【図２】図１に示す照明装置を背面側から示す斜視図である。
【図３】図１に示す照明装置の分解斜視図である。
【図４】図２のＥ−Ｅ断面の断面図である。
【図５】図２のＦ−Ｆ断面の断面図である。
【図６】図２のＧ−Ｇ断面の断面図である。
【図７】本発明の他の実施の形態にかかる第１のネジの構成を説明するための断面図である。
【図８】本発明の他の実施の形態にかかる照明装置の構成を説明するための断面図である。
【図９】本発明の他の実施の形態にかかる照明装置の構成を説明するための断面図である。
【発明を実施するための形態】
【００２０】
以下、図面を参照しながら、本発明の実施の形態を説明する。
【００２１】
（照明装置の全体構成）
図１は、本発明の実施の形態にかかる照明装置１を正面側から示す斜視図である。図２は、図１に示す照明装置１を背面側から示す斜視図である。図３は、図１に示す照明装置１の分解斜視図である。図４は、図２のＥ−Ｅ断面の断面図である。
【００２２】
本形態の照明装置１は、照明装置１の光射出面３ａの明るさが周縁部も含めて全体的に均一となるように設計された発光装置であり、厚さの薄い平板状に形成されている。具体的には、照明装置１は、長方形の平板状に形成されている。この照明装置１は、単体で使用される。あるいは、この照明装置１は、複数枚組み合わされて使用される。たとえば、２枚の照明装置１が長方形状に組み合わされて使用されたり、４枚の照明装置１が長方形状に組み合わされて使用されたりする。また、照明装置１は、たとえば、インテリアを兼ねた照明装置として室内の壁面に設置されて使用される。
【００２３】
以下の説明では、照明装置１の厚さ方向（図１等のＺ方向）を「前後方向」とし、前後方向に直交する方向のうちの、長方形状をなす照明装置１の長手方向（図１等のＸ方向）を「左右方向」とし、前後方向と左右方向とに直交する照明装置１の短手方向（図１等のＹ方向）を「上下方向」とする。また、前後方向のうちの照明装置１の正面側（図１等のＺ１方向側）を「前」側とし、その反対側である照明装置１の背面側（図１等のＺ２方向側）を「後（後ろ）」側とする。
【００２４】
照明装置１は、導光板２と、導光板２の前側に配置され導光板２が発する光を拡散する拡散板３と、導光板２の後ろ側に配置される反射シート４と、反射シート４の後ろ側に配置される補強用のフレーム５とを備えている。また、照明装置１は、導光板２の端面２ａに向かって光を射出する複数の光源６（図４参照）と、複数の光源６が実装される基板７と、基板７を介して光源６を保持する光源保持部材８とを備えている。さらに、照明装置１は、導光板２、反射シート４、フレーム５、光源６、基板７および光源保持部材８が収容されるケース９を備えている。なお、図３では、光源６の図示を省略している。
【００２５】
導光板２は、光透過率の高いアクリル系樹脂によって形成されている。また、導光板２は、球形粒子である光散乱粒子が多数含有された光散乱導光体であり、導光板２に入射した光は、導光板２の中で光散乱粒子によって散乱する。導光板２に含有される光散乱粒子は、たとえば、特開２０１４−１５００４９号公報に開示されたシリコーン粒子によって形成されている。この導光板２は、長方形の平板状に形成されており、導光板２の厚さ方向と前後方向とが一致するように配置されている。すなわち、前後方向は、導光板２の厚さ方向となっており、導光板２は、前後方向から見たときの形状が長方形状となるように形成されている。また、導光板２は、長方形状に形成される導光板２の長手方向と左右方向とが一致するように配置されている。導光板２には、上下方向に直交する２個の端面２ａと左右方向に直交する２個の端面２ａとの合計４個の端面２ａが形成されている。導光板２の前面は、導光板２の光射出面２ｃとなっている。本形態の前方向（Ｚ１方向）は、導光板２の厚さ方向の一方である第１方向となっており、後ろ方向（Ｚ２方向）は、第１方向の反対方向である第２方向となっている。
【００２６】
拡散板３は、光透過率の高いアクリル系樹脂またはポリカーボネイトによって形成されている。また、拡散板３は、光散乱粒子が多数含有された光散乱導光体であり、拡散板３に入射した光は、拡散板３の中で光散乱粒子によって散乱する。拡散板３には、導光板２に含有される光散乱粒子と同様の光散乱粒子が含有されている。すなわち、拡散板３に含有される光散乱粒子は、たとえば、特開２０１４−１５００４９号公報に開示されたシリコーン粒子によって形成されている。この拡散板３は、長方形の略平板状に形成されており、拡散板３の厚さ方向と前後方向とが一致するように配置されている。すなわち、拡散板３は、前後方向から見たときの形状が長方形状となるように形成されている。また、拡散板３は、長方形状に形成される拡散板３の長手方向と左右方向とが一致するように配置されている。
【００２７】
拡散板３の前面は、拡散板３の光射出面３ａとなっている。光射出面３ａは、照明装置１の光射出面となっている。拡散板３は、真正面から光射出面３ａを見たときに（すなわち、光射出面３ａに対して直交する方向から光射出面３ａを見たときに）、光射出面３ａの外形の中に照明装置１の構成部品が収まる大きさとなっている。上述のように、拡散板３は、導光板２の前側に配置されている。すなわち、拡散板３は、導光板２の前面（第１方向側の面）である光射出面２ｃの側に配置されている。
【００２８】
拡散板３は、導光板２に向かって突出する（すなわち、後ろ側へ突出する）突出部３ｂを備えている。突出部３ｂは、拡散板３の４個の端面３ｆに沿って形成されており、長方形の枠状に形成されている。この突出部３ｂは、４個の端面３ｆのそれぞれに平行な平板状の４個の内側面３ｎを突出部３ｂの内周側に備えている。４個の内側面３ｎのうちの２個の内側面３ｎは、左右方向に直交し、残りの２個の内側面３ｎは、上下方向に直交している。また、突出部３ｂは、導光板２の光射出面２ｃの周縁部２ｄ（図４参照）に対向する位置に配置されている。突出部３ｂの後面は、前後方向に直交する平面状に形成されており、光射出面２ｃから射出された光が入射する光入射面３ｃとなっている。なお、周縁部２ｄは、光射出面２ｃの、光入射面３ｃと前後方向において対向する部分であり、長方形の枠状に形成されている。
【００２９】
突出部３ｂの内側は、前側に向かって窪む長方形状の凹部３ｄとなっており、拡散板３には、突出部３ｂに囲まれる空間が形成されている。凹部３ｄの底面は、光射出面２ｃから射出された光が入射する光入射面３ｅとなっている。光入射面３ｅは、前後方向に直交する平面状に形成されている。光入射面３ｃ、３ｅと、拡散板３の端面３ｆおよび内側面３ｎとは直交している。端面３ｆは、空気に接する面である。また、内側面３ｎも凹部３ｄに面しており、空気に接する面である。そのため、突出部３ｂの内側から端面３ｆに臨界角を超えて入射する光は、端面３ｆで全反射する。また、突出部３ｂの内側から内側面３ｎに臨界角を超えて入射する光は、内側面３ｎで全反射する。
【００３０】
反射シート４は、たとえば、アルミニウム箔のような反射率の高い材料で形成されている。また、反射シート４は、導光板２の後面（背面）の全体を覆うように長方形状に形成されている。反射シート４の前面は、導光板２の中を進行する光を反射する反射面４ａとなっている。この反射シート４は、導光板２の後面に密着するように配置されている。なお、反射シート４に代えて、薄い平板状に形成された反射板が導光板２の後ろ側に配置されても良いし、反射シート４に代えて、導光板２の後面に反射コーティングが塗布されても良い。
【００３１】
フレーム５は、熱伝導率の高い金属板によって形成されている。たとえば、フレーム５は、アルミニウム合金によって形成されている。このフレーム５は、前後方向から見たときのフレーム５の外形が長方形状となる平板状に形成されている。具体的には、フレーム５は、長方形の枠状に形成される平板状の枠部５ａと、Ｘ形状に形成され枠部５ａの対角同士を繋ぐ平板状の筋交い部５ｂとから構成されている。このフレーム５は、フレーム５の厚さ方向と前後方向とが一致するように配置されている。また、フレーム５は、長方形の枠状をなす枠部５ａの長手方向と左右方向とが一致するように配置されている。フレーム５は、反射シート４の後面に接触するように配置されており、導光板２の後ろ側に配置されている。
【００３２】
光源６は、ＬＥＤ（Ｌｉｇｈｔ  Ｅｍｉｔｔｉｎｇ  Ｄｉｏｄｅ）光源であり、上述のように基板７に実装されている。光源６を構成するＬＥＤ素子のそれぞれは白色ＬＥＤであり、光源６は白色の光を射出する。基板７は、フレキブルプリント基板（ＦＰＣ（Ｆｌｅｘｉｂｌｅ  Ｐｒｉｎｔｅｄ  Ｃｉｒｃｕｉｔｓ））である。この基板７は、図３に示すように、細長い帯状に形成されている。基板７には、基板７の長手方向に沿って複数の光源６が直線状に配列されて実装されており、複数の光源６は、導光板２の端面２ａに臨むように配置されている。具体的には、導光板２の４個の端面２ａのそれぞれに臨むように複数の光源６が配置されている。なお、光源６は、赤色ＬＥＤ素子と緑色ＬＥＤ素子と青色ＬＥＤ素子とがパッケージ化されたものであっても良い。また、基板７は、ガラスエポキシ基板等のリジッド基板であっても良い。
【００３３】
光源保持部材８は、薄い金属板が所定形状に折り曲げられることで形成されている。具体的には、光源保持部材８は、導光板２の端面２ａに対向するように配置される基部８ａと、基部８ａの前端（前方向端）から導光板２側へ延びる第１延設部８ｂと、基部８ａの後端（後ろ方向端）から導光板２側へ延びる第２延設部８ｃとを備えており、全体として細長い四角溝状に形成されている。すなわち、光源保持部材８は、その断面形状が略Ｕ形状（略コの字状）となるように形成されている。第１延設部８ｂおよび第２延設部８ｃは、細長い長方形状の平板状に形成されている。すなわち、基部８ａから導光板２に向かう方向における第１延設部８ｂの幅は一定となっており、この方向における第２延設部８ｃの幅は一定となっている。また、基部８ａから導光板２に向かう方向における第２延設部８ｃの幅は、この方向における第１延設部８ｂの幅よりも広くなっている。光源保持部材８は、基部８ａが導光板２の４個の端面２ａのそれぞれに沿うように配置されている。
【００３４】
図４に示すように、光源６および基板７は、第１延設部８ｂと第２延設部８ｃとの間に配置されている。また、光源６および基板７は、基部８ａと端面２ａとの間に配置されており、端面２ａに沿うように配置されている。第１延設部８ｂと第２延設部８ｃとの間には、導光板２、反射シート４およびフレーム５が挟まれている。すなわち、導光板２、反射シート４およびフレーム５は、第１延設部８ｂと第２延設部８ｃとに挟まれるように第１延設部８ｂと第２延設部８ｃとの間に配置されている。第１延設部８ｂは、導光板２の前面に接触し、第２延設部８ｃは、フレーム５の後面に接触している。また、第１延設部８ｂは、拡散板３の突出部３ｂと導光板２との間に配置されており、突出部３ｂの光入射面３ｃに接触している。図４に示すように、基部８ａから導光板２に向かう方向における第１延設部８ｂの幅は、この方向における突出部３ｂの幅よりも狭くなっている。また、第１延設部８ｂの先端は、端面２ａよりも導光板２の中心側に配置されている。
【００３５】
第１延設部８ｂは、光源６が射出する光を拡散板３に直接入射させない光遮蔽機能を果たしている。また、第１延設部８ｂは、光射出面２ｃの周縁部２ｄから拡散板３の突出部３ｂに入射する光を制限している。光入射面３ｃの、第１延設部８ｂに覆われた部分は、遮蔽領域３ｇとなっており、光入射面３ｃの、遮蔽領域３ｇよりも内側の部分は、入射領域３ｈとなっている。遮蔽領域３ｇの広さおよび入射領域３ｈの広さは、光射出面３ａの全体の明るさが均一となるように設定されている。なお、基部８ａから導光板２に向かう方向における第２延設部８ｃの幅は、この方向における突出部３ｂの幅よりも広くなっている。
【００３６】
光源保持部材８は、第１延設部８ｂと第２延設部８ｃとが互いに近づく方向の付勢力が作用するように弾性変形している。すなわち、光源保持部材８は、第１延設部８ｂと第２延設部８ｃとの間に挟まれる導光板２と反射シート４とフレーム５とが接触するように弾性変形した状態（第１延設部８ｂと第２延設部８ｃとの間に導光板２と反射シート４とフレーム５とが挟まれてないときよりも、第１延設部８ｂの先端と第２延設部８ｃの先端とが前後方向にわずかに開くように弾性変形した状態）で、導光板２およびフレーム５に取り付けられている。
【００３７】
ケース９は、鋼板またはアルミニウム合金製の板等の薄い金属板によって形成されている。このケース９は、底面部９ａと、底面部９ａの外周端から前側に向かって立ち上がる側面部９ｂとから構成されており、前側が開口する扁平な直方体の箱状に形成されている。側面部９ｂは、長方形の枠状に形成されており、前後方向から見たときのケース９の形状は長方形状となっている。ケース９は、長方形の枠状をなす側面部９ｂの長手方向と左右方向とが一致するように配置されている。
【００３８】
底面部９ａの周縁部９ｃの内側には、凹溝部９ｄが周縁部９ｃから前側に向かって窪むように形成されている。この凹溝部９ｄは、四角環状に形成されている。凹溝部９ｄは、第２延設部８ｃよりも内周側に配置されている。凹溝部９ｄの内側は、後ろ側に向かって突出する中央部９ｅとなっている。中央部９ｅは、周縁部９ｃよりも後ろ側に突出している。底面部９ａの厚さは一定となっている。すなわち、周縁部９ｃの厚さと凹溝部９ｄの厚さと中央部９ｅの厚さとは等しくなっている。なお、図３では、凹溝部９ｄおよび中央部９ｅの図示を省略している。
【００３９】
上述のように、ケース９の内部には、導光板２、反射シート４、フレーム５、光源６、基板７および光源保持部材８が収容されており、ケース９の底面（すなわち、底面部９ａの前面）と導光板２との間にフレーム５が配置されている。ケース９の前端側の開口は、拡散板３によって塞がれている。本形態では、図１等に示すように、拡散板３の外周面とケース９の外周面とは同一面上に配置されている。ただし、ケース９の外周面が拡散板３の外周面より内側に配置されても良い。
【００４０】
（導光板、拡散板、フレームおよび光源保持部材の固定構造）
図５は、図２のＦ−Ｆ断面の断面図である。図６は、図２のＧ−Ｇ断面の断面図である。
【００４１】
照明装置１は、導光板２、反射シート４、フレーム５および光源保持部材８を拡散板３に固定するための複数のネジ２０（図２、図５参照）と、光源保持部材８をフレーム５に固定するための複数のネジ２１（図２、図６参照）と、フレーム５をケース９に固定するための複数のネジ２２（図２、図４参照）とを備えている。すなわち、導光板２と反射シート４とフレーム５と光源保持部材８とは、ネジ２０によって拡散板３に固定され、光源保持部材８は、ネジ２１によってフレーム５にも固定され、フレーム５は、ネジ２２によってケース９に固定されている。本形態のネジ２０は、第１のネジであり、ネジ２１は、第３のネジであり、ネジ２２は、第２のネジである。
【００４２】
導光板２には、ネジ２０の軸部２０ａが挿通される第１の貫通孔としての貫通孔２ｇが形成されている。具体的には、前後方向で導光板２を貫通するように周縁部２ｄに対応する位置に貫通孔２ｇが形成されている。貫通孔２ｇは、周縁部２ｄの周方向において所定の間隔をあけた状態で複数箇所に形成されている。拡散板３の突出部３ｂには、ネジ２０の軸部２０ａの先端側の外周面に形成されるオネジが係合するネジ孔３ｊが形成されている。ネジ孔３ｊは、突出部３ｂの後面から前側に向かって所定の範囲に形成されている。また、ネジ孔３ｊは、突出部３ｂの周方向において所定の間隔をあけた状態で複数箇所に形成されている。反射シート４には、ネジ２０の軸部２０ａが挿通される貫通孔４ｂが形成されている。具体的には、前後方向で反射シート４を貫通するように周縁部２ｄに対応する位置に貫通孔４ｂが形成されている。貫通孔４ｂは、周縁部２ｄの周方向において所定の間隔をあけた状態で複数箇所に形成されている。
【００４３】
光源保持部材８には、ネジ２０の軸部２０ａが挿通される第２の貫通孔としての貫通孔８ｇと、ネジ２１の軸部２１ａが挿通される第５の貫通孔としての貫通孔８ｈとが形成されている。具体的には、前後方向で第２延設部８ｃを貫通するように第２延設部８ｃに貫通孔８ｇ、８ｈが形成されている。貫通孔８ｇ、８ｈは、細長い長方形状に形成される第２延設部８ｃの長手方向において所定の間隔をあけた状態で複数箇所に形成されている。また、貫通孔８ｇは、貫通孔８ｈよりも外周側に形成されている。
【００４４】
フレーム５には、ネジ２０の軸部２０ａが挿通される第３の貫通孔としての貫通孔５ｃが形成されている。また、フレーム５には、ネジ２１の軸部２１ａの外周面に形成されるオネジが係合する第３のネジ孔としてのネジ孔５ｄと、ネジ２２の軸部２２ａの外周面に形成されるオネジが係合する第２のネジ孔としてのネジ孔５ｅとが形成されている。具体的には、前後方向で枠部５ａを貫通するように枠部５ａに貫通孔５ｃおよびネジ孔５ｄ、５ｅが形成されている。貫通孔５ｃは、枠部５ａの周方向において所定の間隔をあけた状態で複数箇所に形成され、ネジ孔５ｄ、５ｅも、枠部５ａの周方向において所定の間隔をあけた状態で複数箇所に形成されている。また、貫通孔５ｃは、ネジ孔５ｄよりも外周側に形成され、ネジ孔５ｄは、ネジ孔５ｅよりも外周側に形成されている。
【００４５】
ケース９には、ネジ２０の頭部２０ｂが配置される第６の貫通孔としての貫通孔９ｇと、ネジ２１の頭部２１ｂが配置される貫通孔９ｈと、ネジ２２の軸部２２ａが挿通される第４の貫通孔としての貫通孔９ｊとが形成されている。具体的には、前後方向で周縁部９ｃを貫通するように周縁部９ｃに貫通孔９ｇ、９ｈが形成され、前後方向で凹溝部９ｄを貫通するように凹溝部９ｄに貫通孔９ｊが形成されている。貫通孔９ｇ、９ｈは、周縁部９ｃの周方向において所定の間隔をあけた状態で複数箇所に形成され、貫通孔９ｊは、凹溝部９ｄの周方向において所定の間隔をあけた状態で複数箇所に形成されている。また、貫通孔９ｇは、貫通孔９ｈよりも外周側に形成されている。
【００４６】
導光板２と反射シート４とフレーム５と光源保持部材８とは、第２延設部８ｃの後ろ側から貫通孔８ｇ、５ｃ、４ｂ、２ｇに挿通されてネジ孔３ｊに係合するネジ２０によって拡散板３の突出部３ｂに固定されている。貫通孔８ｇ、５ｃ、２ｇの内周面と軸部２０ａの外周面との間には、温度変動に伴って伸縮する導光板２と拡散板３とフレーム５と光源保持部材８との間の伸縮量の差を吸収できる程度の隙間が形成されている。すなわち、貫通孔８ｇ、５ｃ、２ｇには、軸部２０ａが遊挿されている（遊びがある状態で挿入されている）。また、貫通孔９ｇの内径は、頭部２０ｂの外径よりも大きくなっており、貫通孔９ｇには、頭部２０ｂが遊挿されている。なお、反射シート４の貫通孔４ｂにも軸部２０ａが遊挿されるように、貫通孔４ｂの内周面と軸部２０ａの外周面との間に隙間が形成されている。また、第１延設部８ｂは、軸部２０ａよりも外周側に配置されている。
【００４７】
光源保持部材８は、第２延設部８ｃの後ろ側から貫通孔８ｈに挿通されてネジ孔５ｄに係合するネジ２１によってフレーム５に固定されている。貫通孔８ｈの内周面と軸部２１ａの外周面との間には、温度変動に伴って伸縮するフレーム５と光源保持部材８との間の伸縮量の差を吸収できる程度の隙間が形成されている。すなわち、貫通孔８ｈには、軸部２１ａが遊挿されている。また、貫通孔９ｈの内径は、頭部２１ｂの外径よりも大きくなっており、貫通孔９ｈには、頭部２１ｂが遊挿されている。
【００４８】
フレーム５は、凹溝部９ｄの後ろ側から貫通孔９ｊに挿通されてネジ孔５ｅに係合するネジ２２によってケース９に固定されている。貫通孔９ｊの内周面と軸部２２ａの外周面との間には、温度変動に伴って伸縮するフレーム５とケース９との間の伸縮量の差を吸収できる程度の隙間が形成されている。すなわち、貫通孔９ｊには、軸部２２ａが遊挿されている。
【００４９】
本形態では、光源６が実装された基板７を保持するとともに導光板２、反射シート４およびフレーム５を第１延設部８ｂと第２延設部８ｃとの間に挟んだ状態の光源保持部材８がネジ２１によってフレーム５に固定された後に、導光板２と反射シート４とフレーム５と光源保持部材８とがネジ２０によって拡散板３の突出部３ｂに固定される。また、その後、フレーム５がネジ２２によってケース９に固定される。すなわち、導光板２、拡散板３、反射シート４および光源保持部材８が固定された状態のフレーム５がネジ２２によってケース９に固定される。なお、図５、図６に示すように、頭部２０ｂ、２１ｂは、周縁部９ｃの後面よりも後ろ側へ突出していない。また、周縁部９ｃの後面に対する凹溝部９ｄの前側への窪み量は、ネジ２２の頭部２２ｂの厚さ以上となっており、図４に示すように、頭部２２ｂは、周縁部９ｃの後面よりも後ろ側へ突出していない。
【００５０】
（照明装置内の光の経路）
光源６から射出された光の一部は、導光板２の端面２ａから導光板２の中に進入した後、たとえば、導光板２の光射出面２ｃおよび反射シート４の反射面４ａで全反射しながら導光板２の中心側に向かって進むとともに、光散乱粒子によって散乱しながら進み、いずれは、光射出面２ｃから射出される。また、光源６から射出された光の他の一部は、光射出面２ｃで全反射されることなく、光散乱粒子によって散乱しながら進み、光射出面２ｃから射出される。導光板２の中の光が、光射出面２ｃおよび反射面４ａで全反射するとともに光散乱粒子によって散乱するため、光射出面２ｃの輝度は均一化された状態となっている。
【００５１】
導光板２の光射出面２ｃから射出された光の一部は、拡散板３の光入射面３ｃの入射領域３ｈに入射する。入射領域３ｈから入射した光の一部は、突出部３ｂの内側面３ｎと拡散板３の端面３ｆとで全反射しながら進むとともに、光散乱粒子によって散乱しながら進み、光射出面３ａの、主として突出部３ｂに対応する領域（すなわち、光射出面３ａの周縁部）から射出される。また、光入射面３ｅに入射した光の一部は、光散乱粒子によって散乱しながら進み、光射出面３ａから射出される。
【００５２】
（本形態の主な効果）
以上説明したように、本形態では、導光板２とフレーム５と光源保持部材８とは、貫通孔８ｇ、５ｃ、２ｇに挿通されてネジ孔３ｊに係合するネジ２０によって拡散板３の突出部３ｂに固定されており、貫通孔８ｇ、５ｃ、２ｇの内周面とネジ２０の軸部２０ａの外周面との間には、温度変動に伴って伸縮する導光板２と拡散板３とフレーム５と光源保持部材８との間の伸縮量の差を吸収できる程度の隙間が形成されている。そのため、本形態では、導光板２と拡散板３とフレーム５と光源保持部材８とがネジ２０によって互いに固定されていても、また、照明装置１の温度変動に起因する導光板２の伸縮量と拡散板３の伸縮量とフレーム５の伸縮量と光源保持部材８の伸縮量とが一致しなくても、照明装置１の温度が変動したときに、導光板２の伸縮量と拡散板３の伸縮量とフレーム５の伸縮量と光源保持部材８の伸縮量との差を吸収して、導光板２と拡散板３とフレーム５と光源保持部材８とをそれぞれ自由に伸縮させることが可能になる。
【００５３】
また、本形態では、光源保持部材８は、貫通孔８ｈに挿通されてネジ孔５ｄに係合するネジ２１によってフレーム５に固定されており、貫通孔８ｈの内周面とネジ２１の軸部２１ａの外周面との間に、温度変動に伴って伸縮するフレーム５と光源保持部材８との間の伸縮量の差を吸収できる程度の隙間が形成されているため、フレーム５と光源保持部材８とがネジ２１によって互いに固定されていても、照明装置１の温度が変動したときに、フレーム５の伸縮量と光源保持部材８の伸縮量との差を吸収して、フレーム５と光源保持部材８とをそれぞれ自由に伸縮させることが可能になる。また、本形態では、フレーム５は、貫通孔９ｊに挿通されてネジ孔５ｅに係合するネジ２２によってケース９に固定されており、貫通孔９ｊの内周面と軸部２２ａの外周面との間に、温度変動に伴って伸縮するフレーム５とケース９との間の伸縮量の差を吸収できる程度の隙間が形成されているため、フレーム５とケース９とがネジ２２によって互いに固定されていても、照明装置１の温度が変動したときに、フレーム５の伸縮量とケース９の伸縮量との差を吸収して、フレーム５とケース９とをそれぞれ自由に伸縮させることが可能になる。
【００５４】
このように本形態では、照明装置１の温度が変動したときに、貫通孔９ｊ、８ｇ、８ｈ、５ｃ、２ｇを利用して、導光板２と拡散板３とフレーム５と光源保持部材８とケース９とのそれぞれを、他の部材の伸縮量の影響を受けることなく自由に伸縮させることが可能になる。また、本形態では、貫通孔９ｇに、ネジ２０の頭部２０ｂが遊挿され、貫通孔９ｈに、ネジ２１の頭部２１ｂが遊挿されているため、貫通孔９ｇ、９ｈを利用して、他の部材の伸縮量の影響を受けることなくケース９を自由に伸縮させることが可能になる。したがって、本形態では、照明装置１の温度が変動しても、照明装置１の反り等の変形を抑制することが可能になる。
【００５５】
なお、反射シート４がアルミニウム箔のように薄い場合には、温度変動に起因する反射シート４の伸縮によって照明装置１の反り等の変形が生じる可能性は低い。そのため、反射シート４がアルミニウム箔のように薄い場合には、貫通孔４ｂの内周面と軸部２０ａの外周面との間に隙間が形成されていなくても良い。しかしながら、貫通孔４ｂの内周面と軸部２０ａの外周面との間に隙間が形成されていると、ネジ２０を貫通孔４ｂに挿通し易くなる。一方、反射シート４の温度変動による伸縮によって照明装置１の反り等の変形が生じる場合には、貫通孔４ｂの内周面と軸部２０ａの外周面との間に隙間を形成することで、反射シート４についても、導光板２、拡散板３、フレーム５および光源保持部材８と同様に伸縮量との差を吸収して、照明装置１の反り等の変形を抑制することが可能になる。
【００５６】
本形態では、第１延設部８ｂと第２延設部８ｃとの間に、導光板２およびフレーム５が挟まれており、光源保持部材８は、第１延設部８ｂと第２延設部８ｃとが互いに近づく方向の付勢力が作用するように弾性変形している。また、本形態では、光源保持部材８は、ネジ２１によってフレーム５に固定されている。そのため、本形態では、ネジ２０が取り外されたときに導光板２とフレーム５と光源保持部材８とがばらばらになるのを、第１延設部８ｂおよび第２延設部８ｃと、ネジ２１とによって防止することが可能になる。また、本形態では、フレーム５がネジ２２によってケース９に固定されているため、ネジ２０が取り外されても、フレーム５がケース９から外れることはない。したがって、本形態では、完成後の照明装置１からネジ２０を取り外して拡散板３を交換する際の交換作業が容易になる。
【００５７】
特に本形態では、ケース９に、ネジ２０の頭部２０ｂが遊挿される貫通孔９ｇが形成されているため、ケース９が取り付けられた状態でも、ネジ２０を取り外すことが可能になる。すなわち、本形態では、ケース９が取り付けられた状態でも、ネジ２０を取り外して拡散板３を交換することが可能になる。したがって、本形態では、完成後の照明装置１から拡散板３を交換する際の交換作業がより容易になる。
【００５８】
本形態では、第１延設部８ｂと第２延設部８ｃとの間に、導光板２およびフレーム５が挟まれており、光源保持部材８は、第１延設部８ｂと第２延設部８ｃとが互いに近づく方向の付勢力が作用するように弾性変形している。また、本形態では、光源保持部材８は、ネジ２１によってフレーム５に固定されている。そのため、本形態では、第１延設部８ｂと第２延設部８ｃとの間に導光板２およびフレーム５を挟んだ状態で、かつ、基板７を保持する光源保持部材８をネジ２１によってフレーム５に固定した状態で、貫通孔８ｇ、５ｃ、２ｇにネジ２０の軸部２０ａを挿通することが可能になる。すなわち、本形態では、フレキシブル基板である基板７がふらつかないように導光板２とフレーム５と光源保持部材８とを仮固定した状態で貫通孔８ｇ、５ｃ、２ｇにネジ２０の軸部２０ａを挿通することが可能になる。したがって、本形態では、貫通孔８ｇ、５ｃ、２ｇへの軸部２０ａの挿通作業が容易になり、その結果、照明装置１の組立作業が容易になる。
【００５９】
また、本形態では、フレーム５がネジ２２によってケース９に固定されているため、ネジ２０、２１によって互いに固定された導光板２、拡散板３、フレーム５および光源保持部材８をケース９に固定することが可能になる。したがって、本形態では、ばらばらになっている導光板２、拡散板３、フレーム５および光源保持部材８と、ケース９とを、たとえば、ネジ２０によって一緒に固定する場合と比較して、照明装置１の組立作業が容易になる。
【００６０】
（他の実施の形態）
上述した形態において、ネジ２０は、図７に示すように、ネジ２０の軸部２０ａの先端側の外径が軸部２０ａの基端側の外径よりも小さくなった段付きネジであっても良い。この場合には、段付きネジであるネジ２０の段差部を利用して、突出部３ｂのネジ孔３ｊへのネジ２０のねじ込み量を規制することが可能になる。そのため、導光板２と拡散板３と反射シート４とフレーム５と光源保持部材８とが必要以上の接触力で接触するのを防止することが可能になる。したがって、照明装置１の温度が変動したときに、貫通孔８ｇ、５ｃ、２ｇを利用して、導光板２と拡散板３とフレーム５と光源保持部材８とのそれぞれをより自由に伸縮させることが可能になり、その結果、照明装置１の反り等の変形を効果的に抑制することが可能になる。
【００６１】
上述した形態では、ケース９に、ネジ２０の頭部２０ｂが配置される貫通孔９ｇと、ネジ２１の頭部２１ｂが配置される貫通孔９ｈとが形成されているが、図８に示すように、ネジ２０の頭部２０ｂおよびネジ２１の頭部２１ｂは、ケース９に収容されていても良い。たとえば、頭部２０ｂ、２１ｂは、周縁部９ｃの内部に収容されていても良い。このように頭部２０ｂ、２１ｂがケース９に収容されていると、導光板２、フレーム５および光源保持部材８が配置されているケース９の内部に下面側から水等の液体が入り込むことを防止できる。また、ネジ２２として、たとえば、ゴム製のパッキンにネジが挿通され、ネジの挿通部からの浸水を防止できる構造を備える防水ネジを用いてもよい。ネジ２２を防水ネジとすることで、ケース９の下面側からケース９内に水等の液体が入り込むことを防止することができる。さらに、ネジ２２が挿通される貫通孔９ｊを凹溝部９ｄ内に形成することで、ケース９の下面側からケース９内に水等の液体が入り込むことをさらに効果的に防止することできる。なお、ケース９に凹溝部９ｄが形成されることで、ケース９の剛性を向上させることができる。
【００６２】
上述した形態では、ネジ２１によって光源保持部材８がフレーム５に固定され、ネジ２２によってフレーム５がケース９に固定されているが、図９に示すように、ネジ２３によってフレーム５および光源保持部材８がケース９に固定されても良い。この場合には、光源保持部材８の第２延設部８ｃに、ネジ２３の軸部２３ａが挿通される貫通孔８ｋが形成され、ケース９の凹溝部９ｄに、軸部２３ａが挿通される貫通孔９ｋが形成される。また、フレーム５の枠部５ａには、ネジ２３の軸部２３ａの外周面に形成されるオネジが係合するネジ孔５ｆが形成される。フレーム５および光源保持部材８は、凹溝部９ｄの後ろ側から貫通孔９ｋ、８ｋに挿通されてネジ孔５ｆに係合するネジ２３によってケース９に固定されている。貫通孔８ｋ、９ｋの内周面と軸部２３ａの外周面との間には、温度変動に伴って伸縮するフレーム５と光源保持部材８とケース９との間の伸縮量の差を吸収できる程度の隙間が形成されている。すなわち、貫通孔８ｋ、９ｋには、軸部２３ａが遊挿されている。
【００６３】
この場合には、ネジ２０を取り外したときに導光板２とフレーム５と光源保持部材８とがばらばらになるのを、第１延設部８ｂおよび第２延設部８ｃと、ネジ２３とによって防止することが可能になるため、完成後の照明装置１からネジ２０を取り外して拡散板３を交換する際の交換作業が容易になる。また、この場合には、ネジ２３によって、フレーム５および光源保持部材８をケース９に固定することができるため、ネジ２１とネジ２２とが個別に設けられている場合と比較して、照明装置１の構成を簡素化することが可能になる。さらに、この場合には、照明装置１の温度が変動したときに、貫通孔８ｋ、９ｋを利用して、フレーム５と光源保持部材８とケース９とのそれぞれを自由に伸縮させることが可能になるため、照明装置１の温度が変動しても、照明装置１の反り等の変形を効果的に抑制することが可能になる。なお、この場合のネジ２３は、第４のネジであり、貫通孔９ｋは、第７の貫通孔であり、貫通孔８ｋは、第８の貫通孔であり、ネジ孔５ｆは、第４のネジ孔である。
【００６４】
上述した形態では、導光板２とフレーム５と光源保持部材８とがネジ２０によって拡散板３の突出部３ｂに固定され、フレーム５がネジ２２によってケース９に固定されているが、たとえば、ネジ２０によって、導光板２とフレーム５と光源保持部材８とケース９とが一緒に突出部３ｂに固定されても良い。この場合には、ネジ２０の軸部２０ａが遊挿される貫通孔がケース９に形成される。
【００６５】
上述した形態では、基部８ａから導光板２に向かう方向における第２延設部８ｃの幅は、この方向における第１延設部８ｂの幅よりも広くなっているが、この方向における第２延設部８ｃの幅と第１延設部８ｂの幅とが等しくなっていても良いし、この方向における第１延設部８ｂの幅が第２延設部８ｃの幅より広くなっていても良い。この場合には、たとえば、第１延設部８ｂに、ネジ２０の軸部２０ａが遊挿される貫通孔が形成される。
【００６６】
上述した形態では、ＬＥＤ光源である光源６が基板７に実装されているが、基板７に実装される光源６は、ＬＥＤ光源以外の光源であっても良い。また、光源６は、ＣＣＦＬ（Ｃｏｌｄ  Ｃａｔｈｏｄｅ  Ｆｌｕｏｒｅｓｃｅｎｔ  Ｌａｍｐ：冷陰極蛍光管）であっても良いし、白熱電球等の電球であっても良いし、蛍光灯であっても良い。光源６の種類によっては、光源６が実装される基板７が不要になる場合がある。この場合には、光源６は、光源保持部材８に直接保持される。
【００６７】
上述した形態では、照明装置１は、長方形の平板状に形成されているが、照明装置１は、正方形の平板状に形成されても良いし、長方形および正方形以外の四角形の平板状に形成されても良い。また、照明装置１は、五角形、六角形あるいは八角形等の四角形以外の多角形の平板状に形成されても良い。また、上述した形態において、光源保持部材８の第１延設部８ｂに代えて、光入射面３ｃに遮光性を有するテープを貼り着けても良いし、遮光性を有する塗料を塗布しても良い。
【符号の説明】
【００６８】
１  照明装置
２  導光板
２ａ  端面
２ｃ  光射出面
２ｄ  周縁部
２ｇ  貫通孔（第１の貫通孔）
３  拡散板
３ｂ  突出部
３ｊ  ネジ孔
５  フレーム
５ｃ  貫通孔（第３の貫通孔）
５ｄ  ネジ孔（第３のネジ孔）
５ｅ  ネジ孔（第２のネジ孔）
５ｆ  ネジ孔（第４のネジ孔）
６  光源
８  光源保持部材
８ａ  基部
８ｂ  第１延設部
８ｃ  第２延設部
８ｇ  貫通孔（第２の貫通孔）
８ｈ  貫通孔（第５の貫通孔）
８ｋ  貫通孔（第８の貫通孔）
９  ケース
９ｇ  貫通孔（第６の貫通孔）
９ｊ  貫通孔（第４の貫通孔）
９ｋ  貫通孔（第７の貫通孔）
２０  ネジ（第１のネジ）
２０ａ  軸部（第１のネジの軸部）
２０ｂ  頭部（第１のネジの頭部）
２１  ネジ（第３のネジ）
２１ａ  軸部（第３のネジの軸部）
２１ｂ  頭部（第３のネジの頭部）
２２  ネジ（第２のネジ）
２２ａ  軸部（第２のネジの軸部）
２３  ネジ（第４のネジ）
２３ａ  軸部（第４のネジの軸部）
Ｚ  導光板の厚さ方向
Ｚ１  第１方向
Ｚ２  第２方向
【図１】
0006600577.tif 000002
【図２】
0006600577.tif 000003
【図３】
0006600577.tif 000004
【図４】
0006600577.tif 000005
【図５】
0006600577.tif 000006
【図６】
0006600577.tif 000007
【図７】
0006600577.tif 000008
【図８】
0006600577.tif 000009
【図９】
0006600577.tif 000010